(57)【要約】【課題】本発明は、音声信号に基づく音声の音量を好みに合わせて調節し得る。【解決手段】本発明は、プリアンプ制御使用可能値群ＰＤＳに対して、所望の最小値のプリアンプ制御値ＰＤから所望の最大値のプリアンプ制御値ＰＤまでの連続した複数のプリアンプ制御値ＰＤの移動設定可能制御値使用範囲ＤＲ２を任意に設定することにより、外部入力端子ＯＩから供給された信号レベルが異なる外部音声信号に対してその外部音声信号に応じた信号レベルの違いを相殺するように利得を制御したり、信号レベルに合わせた所定の範囲で利得を制御して、当該外部音声信号に基づく外部音声の大きさを所望の最小値から所望の最大値までの範囲で任意に調節することができ、かくして音声信号に基づく音声の音量を好みに合わせて調節し得る。【選択図】        図２
2004266379.tif 000002
【特許請求の範囲】
【請求項１】
音声信号に基づく音声をそれぞれ異なる多数の大きさに調節するために当該音声信号の利得を制御する際に用いられる多数の利得制御値を、上記音声の大きさを最小にする上記利得制御値から当該音声の大きさを段階的に増加させて最大にする上記利得制御値までの順番の利得制御使用可能値群として予め記憶する記憶手段と、
上記記憶手段に記憶している上記利得制御使用可能値群に対して、上記音声信号に基づく上記音声の大きさの調節に用いる複数の上記利得制御値の制御値使用範囲を任意に選択させるための使用範囲選択手段と、
上記音声信号に基づく上記音声の大きさを任意に指示させるための音量指示手段と、
上記使用範囲選択手段を介して選択された上記制御値使用範囲の複数の上記利得制御値のうち上記音量指示手段を介して指示された上記音声の大きさに対応する上記利得制御値を用いて上記音声信号の利得を制御することにより当該音声信号に基づく上記音声の大きさを調節する音量調節手段と
を具えることを特徴とする音量調節装置。
【請求項２】
上記使用範囲選択手段を介して選択された上記制御値使用範囲の複数の上記利得制御値に、当該複数の上記利得制御値を用いて調節し得る上記音声の大きさの大小を相対的に表す音量情報を対応付ける情報対応付け手段と、
上記音量指示手段を介して上記音声の大きさが任意に指示される際に、上記制御値使用範囲の複数の上記利得制御値にそれぞれ対応付けられた上記音量情報を表示する音量情報表示手段と
を具えることを特徴とする請求項１に記載の音量調節装置。
【請求項３】
上記使用範囲選択手段は、
上記利得制御使用可能値群に対する上記制御値使用範囲の移動可能範囲を示す移動可能範囲表示子に、所定の基準位置からの移動量を示す移動指示子を重ねて表示する表示手段と、
上記表示手段に表示している上記移動指示子に対する上記移動可能範囲表示子上での移動を指示させるための移動指示手段と、
上記表示手段に表示している上記移動可能範囲表示子上で、上記移動指示手段を介して指示された上記移動指示子の移動に応じて当該移動指示子を移動させる指示子移動制御手段と、
上記指示子移動制御手段によって上記移動可能範囲表示子上で移動させた上記移動指示子の移動量により上記利得制御使用可能値群に対する上記制御値使用範囲を決定する制御値使用範囲決定手段と
を具えることを特徴とする請求項１に記載の音量調節装置。
【請求項４】
音声信号に基づく音声をそれぞれ異なる多数の大きさに調節するために当該音声信号の利得を制御する際に用いられる多数の音量調節用データを、上記音声の大きさを最小にする上記利得制御値から当該音声の大きさを段階的に増加させて最大にする上記利得制御値までの順番の利得制御使用可能値群として予め記憶している記憶手段の当該利得制御使用可能値群に対して任意に選択された制御値使用範囲に応じて、上記利得制御使用可能値群の多数の上記利得制御値のうち上記音声信号に基づく上記音声の大きさの調節に用いる複数の上記利得制御値を特定する使用データ特定ステップと、
上記制御値使用範囲の複数の上記利得制御値のうち、任意に指示された上記音声の大きさに対応する上記利得制御値を用いて上記音声信号の利得を制御することにより当該音声信号に基づく上記音声の大きさを調節する音量調節ステップと
を具えることを特徴とする音量調節方法。
【請求項５】
上記選択された上記制御値使用範囲の複数の上記利得制御値に、当該複数の上記利得制御値を用いて調節し得る上記音声の大きさの大小を相対的に表す音量情報を対応付ける情報対応付けステップと、
上記音声の大きさが任意に指示される際に、上記制御値使用範囲の複数の上記利得制御値にそれぞれ対応付けられた上記音量情報を表示する音量情報表示ステップと
を具えることを特徴とする請求項４に記載の音量調節方法。
【請求項６】
上記使用範囲選択ステップは、
上記利得制御使用可能値群に対する上記制御値使用範囲の移動可能範囲を示す移動可能範囲表示子に、所定の基準位置からの移動量を示す移動指示子を重ねて表示する表示ステップと、
上記移動指示子に対する上記移動可能範囲表示子上での移動の指示に応じて、上記移動可能範囲表示子上で上記移動指示子を移動させる指示子移動制御ステップと、
上記移動可能範囲表示子上で移動させた上記移動指示子の移動量により上記利得制御使用可能値群に対する上記制御値使用範囲を決定する制御値使用範囲決定ステップと
を具えることを特徴とする請求項５に記載の音量調節方法。
【発明の詳細な説明】
【０００１】
【発明の属する技術分野】
本発明は音量調節装置に関し、例えば地上波テレビジョン放送用の複数チャンネル分の地上波テレビジョン放送信号や、外部機器から供給される外部映像音声信号を取り込み、当該地上波テレビジョン放送信号に基づく番組映像音声や、外部映像音声信号に基づく外部映像音声を出力して視聴させ得るテレビジョン受像機に適用して好適なものである。
【０００２】
【従来の技術】
従来のテレビジョン受像機は、地上波テレビジョン信号に含まれる地上波テレビジョン音声信号の信号レベルと、外部映像音声信号に含まれる外部音声信号の信号レベルとが異なるため、外部映像音声信号に基づく外部映像音声を出力する場合、外部音声信号の信号レベルを地上波テレビジョン音声信号の信号レベルに一致させることにより、外部映像音声の出力から番組映像音声の出力に切り換えた際や、番組映像音声の出力から外部映像音声の出力に切り換えた際に、地上波テレビジョン音声信号に基づく番組音声の大きさと外部音声信号に基づく外部音声の大きさとを一致させている（例えば、特許文献１参照）。
【０００３】
【特許文献１】
特開平１１−３５５６８４号公報（第４頁、図１）
【０００４】
【発明が解決しようとする課題】
ところがかかる構成のテレビジョン受像機においては、外部音声信号の信号レベルを地上波テレビジョン音声信号の信号レベルに一致させていることにより、予め設定された音量調節範囲で外部音声信号に基づく外部音声の大きさの調節可能な最小値から最大値までを、当該音量調節範囲で地上波テレビジョン音声信号に基づく番組音声の大きさの調節可能な最小値から最大値までと一致させている。
【０００５】
このためかかるテレビジョン受像機においては、番組音声や外部音声の大きさを所望の最小値から所望の最大値までの音量調節範囲内で好みに合わせて調節し難いという問題があった。
【０００６】
本発明は以上の点を考慮してなされたもので、音声信号に基づく音声の音量を好みに合わせて調節し得る音量調節装置を提案しようとするものである。
【０００７】
【課題を解決するための手段】
かかる課題を解決するため本発明においては、音声信号に基づく音声をそれぞれ異なる多数の大きさに調節するために当該音声信号の利得を制御する際に用いられる多数の利得制御値を、音声の大きさを最小にする利得制御値から当該音声の大きさを段階的に増加させて最大にする利得制御値までの順番の利得制御使用可能値群として予め記憶している記憶手段の当該利得制御使用可能値群に対して任意に選択された制御値使用範囲に応じて、利得制御使用可能値群の多数の利得制御値のうち音声信号に基づく音声の大きさの調節に用いる複数の利得制御値を特定し、制御値使用範囲の複数の利得制御値のうち、任意に指示された音声の大きさに対応する利得制御値を用いて音声信号の利得を制御することにより当該音声信号に基づく音声の大きさを調節するようにした。
【０００８】
従って、種類に応じて信号レベルの異なる音声信号に対してその種類に応じた信号レベルの違いを相殺するように利得を制御したり、信号レベルに合わせた所望の範囲で利得を制御して、当該音声信号に基づく音声の大きさを所望の最小値から所望の最大値までの範囲で任意に調節することができる。
【０００９】
【発明の実施の形態】
以下図面について、本発明の一実施の形態を詳述する。
【００１０】
図１において、１は本発明を適用したテレビジョン受像機の回路構成を示し、図示しないＣＰＵ（Ｃｅｎｔｒａｌ  Ｐｒｏｃｅｓｓｉｎｇ  Ｕｎｉｔ）及び内部メモリ等から構成されたマイクロコンピュータ（以下、これをマイコンと呼ぶ）２に、リモートコントローラ（以下、これをリモコンと呼ぶ）１２から発射される赤外線信号を受光する赤外線受光部１１が接続されている。
【００１１】
情報対応付け手段及び制御値使用範囲決定手段としてのマイコン２は、使用範囲選択手段、音量指示手段及び移動指示手段としてのリモコン１２からユーザによって入力された各種命令に応じた赤外線信号が発射されることにより、その赤外線信号が赤外線受光部１１で受光されると、当該赤外線受光部１１から与えられる赤外線信号に応じた各種命令に基づいて、内部メモリ（図示せず）に予め記憶している各種プログラムに従い各回路ブロックを統括的に制御することにより、各種映像音声を出力して視聴させ得るようになされている。
【００１２】
すなわち、マイコン２は、リモコン１２を介して入力されたテレビジョン受像機１の起動命令に応じて当該テレビジョン受像機１を起動させると、地上波テレビジョン放送用の番組を視聴する地上波番組視聴モードに設定し、アンテナ３を介して受信している地上波テレビジョン放送用のアナログの複数チャンネル分の地上波テレビジョン放送信号をチューナ４に取り込む。
【００１３】
チューナ４は、アンテナ３から取り込んだ複数チャンネル分の地上波テレビジョン放送信号のうち、ユーザによってリモコン１２を介して指示された所望のチャンネルの地上波テレビジョン放送信号を選択し、これを映像／音声信号処理部５に送出する。
【００１４】
映像／音声信号処理部５は、地上波テレビジョン放送信号に所定の処理を施すことにより当該地上波テレビジョン放送信号に含まれる地上波テレビジョン映像信号と地上波テレビジョン音声信号とを分離し、その地上波テレビジョン映像信号を入力切換部６を介して表示部７に送出すると共に、地上波テレビジョン音声信号を入力切換部６を介してプリアンプ８に送出する。
【００１５】
これによりマイコン２は、音量情報表示手段としての表示部７において地上波テレビジョン映像信号に基づく所望のチャンネルのテレビジョン番組映像を表示する。
【００１６】
またプリアンプ８は、地上波テレビジョン音声信号の利得をそのときリモコン１２を介して指示されている地上波テレビジョン音声信号に基づくテレビジョン番組音声の大きさに応じて制御し、その結果得られれた利得制御テレビジョン音声信号をメインアンプ９を介して一定の増幅率で増幅してスピーカ１０へ送出することにより当該スピーカ１０から利得制御テレビジョン音声信号に基づく所望のチャンネルのテレビジョン番組音声をテレビジョン番組映像に合わせて出力する。
【００１７】
これによりマイコン２は、地上波テレビジョン放送で放送されている所望のチャンネルのテレビジョン番組映像音声を視聴させることができる。
【００１８】
これに加えてマイコン２には、入力切換部６を介して外部インターフェイス１３が接続されている。
【００１９】
この外部インターフェイス１３には、複数の外部入力端子（図示せず）が設けられており、当該外部入力端子に外部機器として例えばディジタル衛星放送用の受信装置（以下、これをディジタル放送受信装置と呼ぶ）１４、ＤＶＤ（Ｄｉｇｉｔａｌ  Ｖｅｒｓａｔｉｌｅ  Ｄｉｓｋ）  プレイヤ１５及びビデオテープレコーダ１６が接続されている。
【００２０】
そしてマイコン２は、リモコン１２を介してディジタル衛星放送用の番組を視聴するためのディジタル放送選択命令が入力されると、これに応じてディジタル放送視聴モードに移行する。
【００２１】
この場合、マイコン２は、ディジタル放送受信装置１４からディジタル衛星放送用の複数チャンネル分のディジタル衛星放送信号のうち、ユーザによって指示された所望のチャンネルのディジタル衛星放送信号が、これに含まれるディジタル衛星映像信号及びディジタル衛星音声信号として供給されることにより、これらディジタル衛星映像信号及びディジタル衛星音声信号を外部インターフェイス１３を介して入力切換部６に取り込むと共に、当該入力切換部６から例えばチューナ４で選択されている地上波テレビジョン映像信号及び地上波テレビジョン音声信号に代えて、一方のディジタル衛星映像信号を表示部７に送出し、他方のディジタル衛星音声信号をプリアンプ８へ送出する。
【００２２】
これによりマイコン２は、表示部７においてディジタル衛星映像信号に基づく衛星番組映像を表示すると共に、プリアンプ８においてディジタル衛星音声信号の利得をそのときリモコン１２を介して指示されているディジタル衛星音声信号に基づく衛星番組音声の大きさに応じて制御し、その結果得られた利得制御衛星音声信号をメインアンプ９を介して一定の増幅率で増幅してスピーカ１０へ送出することにより利得制御衛星音声信号に基づく衛星番組音声を衛星番組映像と合わせて出力する。
【００２３】
またマイコン２は、リモコン１２を介してＤＶＤを再生して得られたＤＶＤ再生映像音声を視聴するためのＤＶＤ選択命令が入力されると、これに応じてＤＶＤ再生視聴モードに移行する。
【００２４】
この場合、マイコン２は、ＤＶＤプレイヤ１５からＤＶＤを再生して得られたＤＶＤ再生映像信号及びＤＶＤ再生音声信号が供給されることにより、当該ＤＶＤ再生映像信号及びＤＶＤ再生音声信号を外部インタフェイス１３を介して入力切換部６に取り込むと共に、当該入力切換部６から例えばチューナ４で選択されている地上波テレビジョン映像信号及び地上波テレビジョン音声信号に代えて、一方のＤＶＤ再生映像信号を表示部７に送出し、他方のＤＶＤ再生音声信号をプリアンプ８へ送出する。
【００２５】
これによりマイコン２は、表示部７においてＤＶＤ再生映像信号に基づくＤＶＤ再生映像を表示すると共に、プリアンプ８においてＤＶＤ再生音声信号の利得をそのときリモコン１２を介して指示されているＤＶＤ再生音声信号に基づくＤＶＤ再生音声の大きさに応じて制御し、その結果得られた利得制御ＤＶＤ再生音声信号をメインアンプ９を介して一定の増幅率で増幅してスピーカ１０へ送出することにより利得制御ＤＶＤ再生音声信号に基づくＤＶＤ再生音声をＤＶＤ再生映像と合わせて出力する。
【００２６】
さらにマイコン２は、リモコン１２を介してビデオテープを再生して得られたビデオ再生映像音声を視聴するためのビデオ選択命令が入力されると、これに応じてビデオ再生視聴モードに移行する。
【００２７】
この場合、マイコン２は、ビデオテープレコーダ１６からビデオテープを再生して得られたビデオ再生映像信号及びビデオ再生音声信号が供給されることにより、当該ビデオ再生映像信号及びビデオ再生音声信号を外部インタフェイス１３を介して入力切換部６に取り込むと共に、当該入力切換部６から例えばチューナ４で選択している地上波テレビジョン映像信号及び地上波テレビジョン音声信号に代えて、一方のビデオ再生映像信号を表示部７に送出し、他方のビデオ再生音声信号をプリアンプ８へ送出する。
【００２８】
これによりマイコン２は、表示部７においてビデオ再生映像信号に基づくビデオ再生映像を表示すると共に、プリアンプ８においてビデオ再生音声信号の利得をそのときリモコン１２を介して指示されているビデオ再生音声信号に基づくビデオ再生音声の大きさに応じて制御し、その結果得られた利得制御ビデオ再生音声をメインアンプ９を介して一定の増幅率で増幅してスピーカ１０へ送出することにより利得制御ビデオ再生音声信号に基づくビデオ再生音声をビデオ再生映像と合わせて出力する。
【００２９】
ところで、テレビジョン受像機１に取り込む地上波テレビジョン音声信号やディジタル衛星音声信号、ＤＶＤ再生音声信号、ビデオ再生音声信号の各信号レベルは、地上波テレビジョン番組の制作会社やディジタル衛星番組の制作会社、ＤＶＤの制作会社、ビデオテープの制作会社等でそれぞれ任意に設定されている。
【００３０】
このためマイコン２に接続された制御値記憶部１７においては、図２（Ａ）及び（Ｂ）に示すように、音声信号に基づく音声をそれぞれ異なる多数の大きさに調節するために当該音声信号の利得をプリアンプ８で制御する際に用いる多数の利得制御値（以下、これをプリアンプ制御値と呼ぶ）ＰＤが、音声の大きさを最小にするプリアンプ制御値ＰＤから当該音声を段階的に増加させて最大にするプリアンプ制御値ＰＤまでの順番（この場合、ヘキサ表示で「２４」〜「ＦＤ」で表されている例えば６９個のプリアンプ制御値ＰＤ）の利得制御使用可能値群（以下、これをプリアンプ制御使用可能値群と呼ぶ）ＰＤＳとして予め記憶されている。
【００３１】
そしてマイコン２は、プリアンプ８において実際に音声信号の利得を制御する際にはプリアンプ制御使用可能値群ＰＤＳの６９個のプリアンプ制御値ＰＤのうち、音声の大きさを所望の最小値から所望の最大値まで段階的に増加させ得る例えば６３個のプリアンプ制御値ＰＤを用いる。
【００３２】
実際にマイコン２は、地上波テレビジョン音声信号の利得の制御にはプリアンプ制御使用可能値群ＰＤＳの各プリアンプ制御値ＰＤのうち、最小値側の３個と最大値側の３個とを除く中央部の制御値使用範囲（以下、これを特に制御値使用基準範囲と呼ぶ）ＤＲ１に含まれる６３個のプリアンプ制御値ＰＤ（すなわち、ヘキサ表示で「３０」〜「Ｆ７」までの連続するプリアンプ制御値ＰＤ）を固定的に使用する。
【００３３】
この場合、マイコン２は、６３個のプリアンプ制御値ＰＤに、これを用いて調節し得るテレビジョン番組音声の大きさの大小を相対的に表す「１」から「６３」の数字の音量情報（以下、これをボリューム表示と呼ぶ）ＶＭを対応付けて（すなわち、最小値となる「３０」のプリアンプ制御値ＰＤにはボリューム表示ＶＭの「１」を対応付け、残りのプリアンプ制御値ＰＤには順次値が大きくなる毎にボリューム表示ＶＭの「２」、「３」、……を対応付け、最大値となる「Ｆ７」のプリアンプ制御値ＰＤにはボリューム表示ＶＭの「６３」を対応付けている）、地上波テレビジョン音声信号の利得の制御に使用するプリアンプ制御値ＰＤを示す制御値使用基準範囲ＤＲ１の情報と、そのプリアンプ制御値ＰＤに対応付けたボリューム表示ＶＭの情報とを地上波音量調節用情報として制御値記憶部１７に記憶している。
【００３４】
これによりマイコン２は、地上波番組視聴モード時にリモコン１２に設けられた音量調節ボタン（図示せず）が操作されると、これに応じて制御値記憶部１７から地上波音量調節用情報に従って地上波テレビジョン音声信号の利得の制御に使用するプリアンプ制御値ＰＤに対応付けたボリューム表示ＶＭを読み出して、その際に表示部７に表示している例えばテレビジョン番組映像に重ねてそのボリューム表示ＶＭを順次１つずつ段階的に切り換えて表示する。
【００３５】
このようにしてマイコン２は、表示部７に表示したボリューム表示ＶＭの数字を、テレビジョン番組音声の大きさに対する指示として認識し、当該表示部７に表示したボリューム表示ＶＭを対応付けているプリアンプ制御値ＰＤを制御値記憶部１７から読み出して、当該読み出したプリアンプ制御値ＰＤを用いて、プリアンプ８において地上波テレビジョン音声信号の利得を制御することにより利得制御テレビジョン音声信号を得、当該利得制御テレビジョン音声信号に基づくテレビジョン番組音声の大きさを調節してスピーカ１０から出力し得るようになされている。
【００３６】
またプリアンプ制御使用可能値群ＰＤＳにおいては、地上波テレビジョン音声信号の利得の制御に対する制御値使用基準範囲ＤＲ１  を基準とした場合、当該制御値使用基準範囲ＤＲ１よりも最小値側にその制御値使用基準範囲ＤＲ１内の最小値のプリアンプ制御値ＰＤよりもさらに値の小さい３つのプリアンプ制御値ＰＤ（ヘキサ表示で「２４」〜「２Ｃ」のプリアンプ制御値ＰＤ）が余剰分として設けられていると共に、制御値使用基準範囲ＤＲ１よりも最大値側にその制御値使用基準範囲ＤＲ１内の最大値のプリアンプ制御値ＰＤよりもさらに大きい３つのプリアンプ制御値ＰＤ（ヘキサ表示で「Ｆ９」〜「ＦＤ」のプリアンプ制御値ＰＤ）が余剰分として設けられている。
【００３７】
このためマイコン２は、図２（Ｂ）に示すように、プリアンプ制御使用可能値群ＰＤＳに対して地上波テレビジョン音声信号を除く、ディジタル衛星音声信号、ＤＶＤ再生音声信号及びビデオ再生音声信号の利得の制御に、実際に連続する６３個のプリアンプ制御値ＰＤを強いるようするための制御値使用範囲（以下、これを移動設定可能制御値使用範囲と呼ぶ）ＤＲ２を制御値使用基準範囲ＤＲ１よりも最小値側及び最大値側に移動して設定させ得るようになされている。
【００３８】
この場合、マイコン２は、プリアンプ制御使用可能値群ＰＤＳに対して、移動設定可能制御値使用範囲ＤＲ２をその範囲の長さを変えずに制御値使用基準範囲ＤＲ１よりも最小値側に３個のプリアンプ制御値ＰＤ分移動させ得ると共に、当該制御値使用基準範囲ＤＲ１よりも最大値側に３個のプリアンプ制御値ＰＤ分移動させ得ることにより、プリアンプ制御使用可能値群ＰＤＳの最小値のプリアンプ制御値ＰＤから最大値側の６個のプリアンプ制御値ＰＤ（すなわちヘキサ表示で「２４」〜「３Ａ」のプリアンプ制御値ＰＤ）に移動設定可能制御値使用範囲ＤＲ２の移動可能範囲を示すと共に、移動値を示す使用範囲設定用表示ＲＬ（「−３」〜「＋３」）を順番に対応付けられて制御値記憶部１７に記憶している。
【００３９】
因みに使用範囲設定用表示ＲＬは、プリアンプ制御使用可能値群ＰＤＳにおいて制御値使用基準範囲ＤＲ１の最小値となるプリアンプ制御値ＰＤに「標準」という文字として対応付けられ、当該制御値使用基準範囲ＤＲ１の最小値のプリアンプ制御値ＰＤよりも最小値側では、順次値の小さいプリアンプ制御値ＰＤに順番に「−１」、「−２」、「−３」の数字として対応付けられ、さらに制御値使用基準範囲ＤＲ１の最小値のプリアンプ制御値ＰＤよりも最大値側では、順次値の大きいプリアンプ制御値ＰＤに順番に「＋１」、「＋２」、「＋３」の数字として対応付けられている。
【００４０】
そしてマイコン２は、ディジタル衛星音声信号、ＤＶＤ再生音声信号及びビデオ再生音声信号の利得の制御に使用するプリアンプ制御値ＰＤの移動設定可能制御値使用範囲ＤＲ２を、初期設定として制御値使用基準範囲ＤＲ１と一致させ、当該移動設定可能制御値使用範囲ＤＲ２内の個々のプリアンプ制御値ＰＤにそれぞれ制御値使用基準範囲ＤＲ１と同様にボリューム表示ＶＭを対応付けて、その移動設定可能制御値使用範囲ＤＲ２の情報と、プリアンプ制御値ＰＤに対応付けたボリューム表示ＶＭの情報とをディジタル衛星音量調節用情報、ＤＶＤ音量調節用情報及びビデオ音量調節用情報としてそれぞれ制御値記憶部１７に記憶している。
【００４１】
またマイコン２は、外部から取り込むディジタル衛星音声信号、ＤＶＤ再生音声信号及びビデオ再生音声信号の利得の制御に使用するプリアンプ制御値ＰＤの移動設定可能制御値使用範囲ＤＲ２を変更して設定し直すデータ使用範囲設定処理を実行し得るようになされており、リモコン１２の操作に応じてプリアンプ制御使用可能値群ＰＤＳに対してプリアンプ制御値ＰＤの並び方向に移動設定可能制御値使用範囲ＤＲ２を移動させて設定し直すと共に、当該設定し直した移動設定可能制御値使用範囲ＤＲ２内の６３個のプリアンプ制御値ＰＤに「１」〜「６３」の数字でなるボリューム表示ＶＭを対応付け（例えば、移動設定可能制御値使用範囲ＤＲ２内の最小値となる「３８」のプリアンプ制御値ＰＤにボリューム表示ＶＭ「１」を対応付け、残りのプリアンプ制御値ＰＤには順次値が大きくなる毎にボリューム表示ＶＭ「２」、「３」、……を対応付け、最大値となる「ＦＤ」のプリアンプ制御値ＰＤにはボリューム表示ＶＭ「６３」を対応付ける）、その移動設定可能制御値使用範囲ＤＲ２の情報と、プリアンプ制御値ＰＤに対応付けたボリューム表示ＶＭの情報とをディジタル衛星音量調節用情報、ＤＶＤ音量調節用情報及びビデオ音量調節用情報として新たに制御値記憶部１７に記憶する。
【００４２】
これによりマイコン２は、ディジタル放送視聴モード、ＤＶＤ再生視聴モード又はＤＶＤ再生視聴モード時にリモコン１２に設けられた音量調節ボタン（図示せず）が操作されると、それぞれに応じて制御値記憶部１７からディジタル衛星音量調節用情報、ＤＶＤ音量調節用情報又はビデオ音量調節用情報に従ってディジタル衛星音声信号、ＤＶＤ再生音声信号又はビデオ再生音声信号の利得の制御に使用するプリアンプ制御値ＰＤを対応付けたボリューム表示ＶＭを読み出して、その際に表示部７に表示している衛星番組映像、ＤＶＤ再生映像又はビデオ再生映像に重ねてそのボリューム表示ＶＭを順次１つずつ段階的に切り換えて表示する。
【００４３】
このようにしてマイコン２は、表示部７に表示したボリューム表示ＶＭの数字を、衛星番組音声、ＤＶＤ再生音声又はビデオ再生音声の大きさに対する指示として認識し、当該表示部７に表示したボリューム表示ＶＭを対応付けているプリアンプ制御値ＰＤを制御値記憶部１７から読み出して、当該読み出したプリアンプ制御値ＰＤを用いて、プリアンプ８においてディジタル衛星音声信号、ＤＶＤ再生音声信号又はビデオ再生音声信号の利得を制御することにより利得制御衛星音声信号、利得制御ＤＶＤ音声信号又は利得制御ビデオ音声信号（以下、これらをまとめて利得制御外部音声信号と呼ぶ）をそれぞれ得、当該利得制御外部音声信号に基づいて衛星番組音声、ＤＶＤ再生音声又はビデオ再生音声（以下、これらをまとめて外部音声と呼ぶ）の大きさを調節してスピーカ１０から出力し得るようになされている。
【００４４】
ここでテレビジョン受像機１における制御値使用範囲設定処理について、図３に示すフローチャートを用いて、以下説明する。
【００４５】
すなわち、マイコン２は、内部メモリに予め記憶している制御値使用範囲設定処理プログラムに従ってルーチンＲＴ１に開始ステップから入ってステップＳＰ１へ移る。ステップＳＰ１においてマイコン２は、リモコン１２を介して音声に対する各種設定用のメニュー画面の表示を要求するメニュー画面表示命令が入力されることを待ち受ける。
【００４６】
ステップＳＰ１で肯定結果が得られると、このことはリモコン１２を介してメニュー画面表示命令が入力されたことにより音質等の調節や移動設定可能制御値使用範囲ＤＲ２の設定が要求されたことを表しており、このときマイコン２は、次のステップＳＰ２へ移る。
【００４７】
ステップＳＰ２においてマイコン２は、メニュー画面表示命令に基づいて、内部メモリからメニュー画面信号を読み出して表示部７に送出することにより当該表示部７に、図４に示すようなメニュー画面１００を表示し、次のステップＳＰ３へ移る。
【００４８】
ここでメニュー画面１００には、当該メニュー画面１００が表示される前に表示されていた例えばテレビジョン番組映像の表示に戻る「戻る」項目１０１と、テレビジョン番組音声の高音領域の音質を調節する「高音」項目１０２と、テレビジョン番組音声の低音領域の音質を調節する「低音」項目１０３と、テレビジョン番組音声をスピーカ１０からステレオで出力する際に左右のバランスを調節する「バランス」項目１０４と、外部入力端子毎（例えば、「ビデオ１」、「ビデオ２」及び「ビデオ３」で表す）にプリアンプ制御使用可能値群ＰＤＳに対する移動設定可能制御値使用範囲ＤＲ２の設定を変更する「使用範囲設定」項目１０５〜１０７とが設けられている。
【００４９】
この場合、「使用範囲設定」項目１０５には例えばディジタル放送受信装置１４が接続された外部入力端子を示す「ビデオ１」と、ディジタル衛星音声信号の利得の制御に使用する移動設定可能制御値使用範囲ＤＲ２の最小値となるプリアンプ制御値ＰＤに対する使用範囲設定用表示ＲＬとが表示されている。
【００５０】
また「使用範囲設定」項目１０６には例えばＤＶＤプレイヤ１５が接続された外部入力端子を示す「ビデオ２」と、ＤＶＤ再生音声信号の利得の制御に使用する移動設定可能制御値使用範囲ＤＲ２の最小値となるプリアンプ制御値ＰＤに対する使用範囲設定用表示ＲＬとが表示されている。
【００５１】
さらに「使用範囲設定」項目１０７には例えばビデオテープレコーダ１６が接続された外部入力端子を示す「ビデオ３」と、ビデオ再生音声信号の利得の制御に使用する移動設定可能制御値使用範囲ＤＲ２の最小値となるプリアンプ制御値ＰＤに対する使用範囲設定用表示ＲＬとが表示されている。
【００５２】
ここでマイコン２は、リモコン１２の操作に応じてメニュー画面１００上でカーソル１０８を移動させ、いずれかの項目が選択されると、当該選択された項目に応じた処理を実行する。
【００５３】
ステップＳＰ３においてマイコン２は、リモコン１２を介してメニュー画面１００上で「使用範囲設定」項目１０５〜１０７のうちいずれかが選択されたか否かを判断する。
【００５４】
ステップＳＰ３で否定結果が得られると、このことは「使用範囲設定」項目１０５〜１０７のいずれも選択されていないことによりプリアンプ制御使用可能値群ＰＤＳに対する移動設定可能制御値使用範囲ＤＲ２の設定（又は変更）をユーザが要求してはいないことを表しており、このときマイコン２は、次のステップＳＰ４へ移る。
【００５５】
ステップＳＰ４においてマイコン２は、リモコン１２を介してメニュー画面１００上で「戻る」項目１０１が選択されたか否かを判断する。
【００５６】
ステップＳＰ４で肯定結果が得られると、このことはメニュー画面１００の表示から例えば地上波テレビジョン映像信号に基づくテレビジョン番組映像の表示に戻ることをユーザが要求したことを表しており、このときマイコン２は、メニュー画面１００からテレビジョン番組映像の表示に切り換えて、ステップＳＰ１へ戻る。
【００５７】
これに対してステップＳＰ４で否定結果が得られると、このことはリモコン１２を介してメニュー画面１００上で「戻る」項目１０１及び「使用範囲設定」項目１０５〜１０７以外の「高音」項目１０２、「低音」項目１０３又は「バランス」項目１０４のいずれかが選択されたか、または未だいずれの項目も選択されてはいないことを表しており、このときマイコン２は、ステップＳＰ３へ戻る。
【００５８】
一方、ステップＳＰ３で肯定結果が得られると、このことはリモコン１２を介してメニュー画面１００上で「使用範囲設定」項目１０５〜１０７のいずれかが選択されたことにより、ディジタル衛星音声信号、ＤＶＤ再生音声信号又はビデオ再生音声信号の利得の制御用にプリアンプ制御使用可能値群ＰＤＳに対する移動設定可能制御値使用範囲ＤＲ２の設定（又は変更）をユーザが要求していることを表しており、このときマイコン２は、次のステップＳＰ５へ移る。
【００５９】
ステップＳＰ５においてマイコン２は、内部メモリから、ステップＳＰ３で選択された「使用範囲設定」項目１０５〜１０７に対応する制御値使用範囲設定画面を読み出して表示部７に送出することにより当該表示部７に例えば図５に示すようなディジタル衛星音声信号の利得の制御用に使用するプリアンプ制御値ＰＤの移動設定可能制御値使用範囲ＤＲ２を設定するための制御用使用範囲設定画面１１０を表示し、次のステップＳＰ６へ移る。
【００６０】
ここで制御値使用範囲設定画面１１０には、メニュー画面１００（図４）に戻る「戻る」項目１１１と、プリアンプ制御使用可能値群ＰＤＳに対して移動設定可能制御値使用範囲ＤＲ２を初期設定から移動させ得る範囲を視覚的に表した移動可能範囲表示子としての線状の使用範囲設定バー１１２と、移動設定可能制御値使用範囲ＤＲ２の移動方向及び移動量を指示するために当該使用範囲設定バー１１２に重ねて表示された移動表示子としての調節つまみ１１３とが設けられていると共に、使用範囲設定バー１１２の下側に移動設定可能制御値使用範囲ＤＲ２の最小値となるプリアンプ制御値ＰＤの位置を特定するための使用範囲設定用表示ＲＬが表示されている。
【００６１】
この場合、マイコン２は、リモコン１２の操作に応じて制御値使用範囲設定画面１１０上で調節つまみ１１３を使用範囲設定バー１１２上の長手方向に移動させることにより当該調節つまみ１１３で移動設定可能制御値使用範囲ＤＲ２の最小値となるプリアンプ制御値ＰＤの位置を指示させ、かくしてプリアンプ制御使用可能値群ＰＤＳに対する移動設定可能制御値使用範囲ＤＲ２を設定し得るようになされている。
【００６２】
ステップＳＰ６においてマイコン２は、リモコン１２を介して制御値使用範囲設定画面１１０上で調節つまみ１１３を使用範囲設定バー１１２上の長手方向に移動されるように指示されたか否かを判断する。
【００６３】
ステップＳＰ６で否定結果が得られると、このことはリモコン１２を介して調節つまみ１１３の移動が指示されていないこと、すなわちプリアンプ制御使用可能値群ＰＤＳに対して移動設定可能制御値使用範囲ＤＲ２が未だ設定（又は変更）されてはいないことを表しており、このときマイコン２は、次のステップＳＰ８へ移る。
【００６４】
これに対してステップＳＰ６で肯定結果が得られると、このことはリモコン１２を介して調節つまみ１１３の移動が指示されたこと、すなわちプリアンプ制御使用可能値群ＰＤＳに対して移動設定可能制御値使用範囲ＤＲ２の設定（又は変更）がユーザによって要求されたことを表しており、このときマイコン２は、次のステップＳＰ７へ移る。
【００６５】
ステップＳＰ７においてマイコン２は、ステップＳＰ６で、例えば図６に示すようにリモコン１２の操作（移動の指示）に応じて制御値使用範囲設定画面１１０上で調節つまみ１１３を使用範囲設定バー１１２の長手方向に沿って矢印ａに示すプリアンプ制御値ＰＤの最大値側に移動させて移動設定可能制御値使用範囲ＤＲ２の最小値となるプリアンプ制御値ＰＤを使用範囲設定用表示ＲＬ「＋２」の位置のプリアンプ制御値ＰＤとするように停止させると、当該使用範囲設定用表示ＲＬ「＋２」を対応付けているプリアンプ制御値ＰＤ（すなわち、ヘキサ表示で「３８」のプリアンプ制御値ＰＤ）を最小値とするように移動設定可能制御値使用範囲ＤＲ２を設定する。
【００６６】
そしてマイコン２は、図７に示すように、制御値記憶部１７に記憶している制御値使用範囲設定テーブルＴ１００の「ビデオ１」ＯＩ１  （すなわち、ディジタル衛星音声信号）に対する使用範囲設定用表示ＲＬで表す使用範囲設定値ＲＬｓ及び移動設定可能制御値使用範囲ＤＲ２の最小値となるプリアンプ制御値ＰＤを設定制御値使用範囲情報ＲＦとして更新すると共に、これに伴いボリューム表示ＶＭの最小値（すなわち、「１」）と移動設定可能制御値使用範囲ＤＲ２の最小値となるプリアンプ制御値ＰＤとの対応関係を表すボリューム表示対応情報ＶＦとして更新し、次のステップＳＰ８へ移る。
【００６７】
従ってマイコン２は、例えばディジタル放送視聴モードに移行したとき、制御値使用範囲設定テーブルＴ１００の内容に基づいて、ヘキサ表示で「３８」のプリアンプ制御値ＰＤを最小値とした移動設定可能制御値使用範囲ＤＲ２により、当該最小値となるヘキサ表示の「３８」のプリアンプ制御値ＰＤよりも最大値側に連続する６２個（移動設定可能制御値使用範囲ＤＲ２の最小値のプリアンプ制御値ＰＤを含み全部で６３個）のプリアンプ制御値ＰＤを特定すると共に、当該特定したプリアンプ制御値ＰＤとボリューム表示ＶＭとの対応関係を特定するようになされている。
【００６８】
因みに、制御値使用範囲設定テーブルＴ１００においては、「ビデオ２」ＯＩ２  （すなわち、ＤＶＤ再生音声信号）に対する設定制御値使用範囲情報ＲＦとしては、使用範囲設定用表示ＲＬで表す使用範囲設定値ＲＬｓ  「−１」が記憶されていると共に、ヘキサ表示で「２Ｃ」のプリアンプ制御値ＰＤが移動設定可能制御値使用範囲ＤＲ２の最小値として記憶されている。
【００６９】
また制御値使用範囲設定テーブルＴ１００においては、「ビデオ３」ＯＩ３  （すなわち、ビデオ再生音声信号）に対する設定制御値使用範囲情報ＲＦとしては、使用範囲設定用表示ＲＬで表す使用範囲設定値ＲＬｓ  「−１」が記憶されていると共に、ヘキサ表示で「３Ａ」のプリアンプ制御値ＰＤが移動設定可能制御値使用範囲ＤＲ２の最小値として記憶されている。
【００７０】
このようにしてマイコン２は、各外部入力端子ＯＩに対してそれぞれ使用範囲設定値ＲＬｓ  が指示されることにより、プリアンプ制御使用可能値群ＰＤＳに対して外部入力端子ＯＩ毎に移動設定可能制御値使用範囲ＤＲ２を設定でき、当該移動設定可能制御値使用範囲ＤＲ２内のプリアンプ制御値ＰＤをそれぞれ変更し得る。
【００７１】
またマイコン２は、使用範囲設定バー１１２上で調節つまみ１１３を「標準」から移動することによりプリアンプ制御使用可能値群ＰＤＳに対する移動設定可能制御値使用範囲ＤＲ２を設定（又は変更）できるようにしたことによって、ユーザに対して基準となる地上波番組視聴モード時の制御値使用基準範囲ＤＲ１とどの程度ずれているかを視覚を介して直観的に認識させ得る。
【００７２】
ステップＳＰ８においてマイコン２は、リモコン１２を介して制御値使用範囲設定画面１１０上で「戻る」項目１１１が選択されたか否かを判断する。
【００７３】
ステップＳＰ８において否定結果が得られると、このことは制御値使用範囲設定画面１１０上で未だプリアンプ制御使用可能値群ＰＤＳに対して移動設定可能制御値使用範囲ＤＲ２の設定（又は変更）や、「戻る」項目１１１が選択されてはいないことを表しており、このときマイコン２は、再びステップＳＰ６へ戻る。
【００７４】
これに対してステップＳＰ８で肯定結果が得られると、このことは制御値使用範囲設定画面１１０の表示からメニュー画面１００の表示に戻ることをユーザが要求したことを表しており、このときマイコン２は、制御値使用範囲設定画面１１０からメニュー画面１００の表示に切り換えてステップＳＰ２へ戻り上述した処理を繰り返す。
【００７５】
このようにしてテレビジョン受像機１では、プリアンプ制御使用可能値群ＰＤＳに対して移動設定可能制御値使用範囲ＤＲ２を設定（又は変更）し、当該移動設定可能制御値使用範囲ＤＲ２内のプリアンプ制御値ＰＤを外部入力端子ＯＩ毎にそれぞれ変更することにより、外部入力端子ＯＩ毎に各ボリューム表示ＶＭを対応付けるプリアンプ制御値ＰＤが特定されるようになされている。
【００７６】
そしてテレビジョン受像機１では、リモコン１２からディジタル放送選択命令、ＤＶＤ選択命令、ビデオ選択命令又は地上波放送選択命令のいずれかの選択命令がリモコン１２を介して入力されると、制御値使用範囲切換処理により、当該選択命令に応じてプリアンプ制御使用可能値群ＰＤＳに対する移動設定可能制御値使用範囲ＤＲ２を制御値使用範囲設定テーブルＴ１００に基づき自動的に設定するようになされている。
【００７７】
かかるテレビジョン受像機１における制御値使用範囲切換処理について、図８に示すフローチャートを用いて、以下説明する。因みに入力切換部６で選択された映像信号及び音声信号のうち映像信号については省略し音声信号についてのみ説明する。
【００７８】
実際上、マイコン２は、リモコン１２を介して入力されたテレビジョン受像機１の起動命令に応じて当該テレビジョン受像機１を起動させると、地上波番組視聴モードを設定し、ルーチンＲＴ２の開始ステップから入ってステップＳＰ２０へ移る。ステップＳＰ２０においてマイコン２は、地上波音量調節用情報に従ってプリアンプ制御使用可能値群ＰＤＳに対して制御値使用基準範囲ＤＲ１を設定し、次のステップＳＰ２１へ移る。
【００７９】
ステップＳＰ２１においてマイコン２は、入力切換部６で地上波テレビジョン音声信号を選択し、これをプリアンプ８へ送出して次のステップＳＰ２２へ移る。
【００８０】
ステップＳＰ２２においてマイコン２は、プリアンプ８によって、ステップＳＰ２０でプリアンプ制御使用可能値群ＰＤＳに対して設定された制御値使用基準範囲ＤＲ１に基づいて、現在指示されているボリューム表示ＶＭに対応付けられたプリアンプ制御値ＰＤを特定した後、当該特定したプリアンプ制御値ＰＤを用いて地上波テレビジョン音声信号の利得を制御することにより利得制御テレビジョン音声信号を得、当該利得制御テレビジョン音声信号に基づくテレビジョン番組音声の大きさを調節し、次のステップＳＰ２３へ移る。
【００８１】
ステップＳＰ２３においてマイコン２は、現在選択されている地上波番組視聴モードから他のディジタル放送視聴モード、ＤＶＤ再生視聴モード又はビデオ再生視聴モードへ移行されたか、或いは現在ディジタル放送視聴モード、ＤＶＤ再生視聴モード又はビデオ再生視聴モードが選択されている場合には地上波番組視聴モードへ移行されたか否かを判断する。
【００８２】
ステップＳＰ２３で肯定結果が得られると、このことは現在選択されている地上波番組視聴モードから他のディジタル放送視聴モード、ＤＶＤ再生視聴モード又はビデオ再生視聴モードへ移行されたこと、或いは現在ディジタル放送視聴モード、ＤＶＤ再生視聴モード又はビデオ再生視聴モードが選択されている場合には地上波番組視聴モードへ移行されたことを表しており、このときマイコン２は、次のステップＳＰ２４へ移る。
【００８３】
ステップＳＰ２４においてマイコン２は、地上波番組視聴モードからディジタル放送視聴モード、ＤＶＤ再生視聴モード及びビデオ再生視聴モード（以下、これらをまとめて外部入力視聴モードと呼ぶ）のいずれかに移行されたか否かを判断する。
【００８４】
ステップＳＰ２４で肯定結果が得られると、このことは現在選択されている地上波番組視聴モードから外部入力視聴モードに移行させて、ディジタル衛星放送用の番組、ＤＶＤ再生映像音声又はビデオ再生映像音声の視聴をユーザが要求したことを表しており、このときマイコン２は、次のステップＳＰ２５へ移る。
【００８５】
ステップＳＰ２５においてマイコン２は、リモコン１２を介して入力された外部入力視聴モードに応じて、制御値使用範囲設定テーブルＴ１００に基づきプリアンプ制御使用可能値群ＰＤＳに対して移動設定可能制御値使用範囲ＤＲ２を設定し、次のステップＳＰ２６へ移る。
【００８６】
ステップＳＰ２６においてマイコン２は、外部入力視聴モードに応じてディジタル衛星音声信号、ＤＶＤ再生音声信号又はビデオ再生音声信号（以下、これらをまとめて外部音声信号と呼ぶ）のいずれかを入力切換部６において選択し、次のステップＳＰ２２へ移る。
【００８７】
ステップＳＰ２２においてマイコン２は、プリアンプ８によって、ステップＳＰ２４でプリアンプ制御使用可能値群ＰＤＳに対して設定された移動設定可能制御値使用範囲ＤＲ２に基づいて、現在指示されているボリューム表示ＶＭに対応するプリアンプ制御値ＰＤを特定した後、当該特定したプリアンプ制御値ＰＤを用いて外部音声信号の利得を制御することにより利得制御外部音声信号を得、当該利得制御外部音声信号に基づく外部音声の大きさを調節し、次のステップＳＰ２３へ移る。
【００８８】
これに対してステップＳＰ２４で否定結果が得られると、このことは現在選択されている外部入力視聴モードを地上波番組視聴モードに移行させて、地上波テレビジョン放送用の番組の視聴をユーザが要求したことを表しており、このときマイコン２は、再びステップＳＰ２０へ戻る。
【００８９】
一方、ステップＳＰ２３で否定結果が得られると、このことは現在選択されている地上波番組視聴モード又は外部入力視聴モードが維持されていることを表しており、このときマイコン２は、次のステップＳＰ２７へ移る。
【００９０】
ステップＳＰ２７においてマイコン２は、リモコン１２を介してテレビジョン受像機１の電源の供給が停止されたか否かを判断する。
【００９１】
ここで否定結果が得られると、このことは現在選択されている地上波番組視聴モード又は外部入力視聴モードに基づく映像音声をこのまま視聴し続けたいことをユーザが要求していることを表しており、ことのきマイコン２は、再びステップＳＰ２２へ移る。
【００９２】
これに対してステップＳＰ２７で肯定結果が得られると、このことは地上波番組視聴モード又は外部入力視聴モードに基づく映像音声の視聴の終了をユーザが要求したことを表しており、このときマイコン２は、次のステップＳＰ２８に移り制御値使用範囲切換処理手順を終了する。
【００９３】
以上の構成において、テレビジョン受像機１では、外部入力端子ＯＩから供給される外部音声信号に応じて、使用範囲設定用表示ＲＬの範囲内で移動設定可能制御値使用範囲ＤＲ２の最小値となるプリアンプ制御値ＰＤの位置を特定させることにより、プリアンプ制御使用可能値群ＰＤＳに対する移動設定可能制御値使用範囲ＤＲ２をそれぞれ独自に設定し、当該移動設定可能制御値使用範囲ＤＲ２内のプリアンプ制御値ＰＤを決定する（ステップＳＰ３〜ステップＳＰ７）。
【００９４】
これによりテレビジョン受像機１では、各外部入力端子ＯＩからそれぞれ供給される外部音声信号に対して、その外部音声信号に応じて所望のプリアンプ制御値ＰＤが含まれるように移動設定可能制御値使用範囲ＤＲ２を設定することにより、当該移動設定可能制御値使用範囲ＤＲ２内の最小値のプリアンプ制御値ＰＤから最大値のプリアンプ制御値ＰＤを用いて外部音声信号の利得を制御でき、かくして当該外部音声信号に基づく外部音声の大きさを所望の最小値から所望の最大値までの範囲で任意に調節することができる（ステップＳＰ２４〜ステップＳＰ２６及びステップＳＰ２２）。
【００９５】
従ってテレビジョン受像機１では、例えばプリアンプ制御使用可能値群ＰＤＳに対して、そのプリアンプ制御値ＰＤの最大値側を外部音声信号の利得の制御に極力使用できるように移動設定可能制御値使用範囲ＤＲ２が設定された場合、例えば制御値使用基準範囲ＤＲ１内の最大値となるプリアンプ制御値ＰＤよりもさらに大きい値のプリアンプ制御値ＰＤを使用して外部音声信号の利得を制御することができ、かくして外部音声の大きさをユーザの好みに応じてさらに大きくさせるような所望の最大値のプリアンプ制御値ＰＤを使用して外部音声の大きさを調節することができる。
【００９６】
また、この場合、テレビジョン受像機１では、例えば制御値使用基準範囲ＤＲ１内の最小値となるプリアンプ制御値ＰＤよりも大きい値のプリアンプ制御値ＰＤを移動設定可能制御値使用範囲ＤＲ２内の最小値として使用し外部音声信号の利得を制御することができ、かくして外部音声の大きさを消音状態とさせずにユーザの好みに応じて大きくさせるような所望の最小値のプリアンプ制御値ＰＤを使用して外部音声の大きさを調節することができる。
【００９７】
そしてテレビジョン受像機１では、例えばプリアンプ制御使用可能値群ＰＤＳに対して、そのプリアンプ制御値ＰＤの最小値側を外部音声信号の利得の制御に極力使用できるように移動設定可能制御値使用範囲ＤＲ２が設定された場合、例えば制御値使用基準範囲ＤＲ１内の最大値となるプリアンプ制御値ＰＤよりも小さい値のプリアンプ制御値ＰＤを使用して外部音声信号の利得を制御することができ、かくして外部音声の大きさをユーザの好みに応じて小さくさせるような所望の最大値のプリアンプ制御値ＰＤを使用して外部音声の大きさを調節することができる。
【００９８】
因みに、この場合、テレビジョン受像機１では、例えば制御値使用基準範囲ＤＲ１内の最小値となるプリアンプ制御値ＰＤよりもさらに小さい値のプリアンプ制御値ＰＤを使用して外部音声信号の利得を制御することができ、外部音声の大きさを完全に消音状態にできない場合であっても、当該外部音声の大きさをユーザの好みに応じて消音状態にさせるようにさらに小さくさせるような所望の最小値のプリアンプ制御値ＰＤを使用して外部音声の大きさを調節することができる。
【００９９】
そしてテレビジョン受像機１では、外部入力端子ＯＩから供給された外部音声信号の信号レベルが地上波テレビジョン音声信号の信号レベルと異なり、同じボリューム表示ＶＭで音声の大きさが相互に異なる場合でも、当該同じボリューム表示ＶＭで音声の大きさを相互に一致させるために当該外部音声信号に対して信号レベルの相違差が相殺されるようにプリアンプ制御使用可能値群ＰＤＳに対し移動設定可能制御値使用範囲ＤＲ２を予め設定しておくことにより、入力切換部６で地上波テレビジョン音声信号に代えて当該外部音声信号を選択する際にその都度ユーザにリモコン１２で音量変更命令を入力させることなくテレビジョン番組音声と外部音声との大きさを一致させることができる。
【０１００】
これに対してテレビジョン受像機１では、外部入力端子ＯＩから供給された外部音声信号の信号レベルが地上波テレビジョン音声信号の信号レベルと同じ場合であっても当該外部音声信号に対して、好みに合った最小値のプリアンプ制御値ＰＤから最大値のプリアンプ制御値ＰＤになるようにプリアンプ制御使用可能値群ＰＤＳに対して移動設定可能制御値使用範囲ＤＲ２を予め設定しておくことにより、入力切換部６での当該外部音声信号の選択に応じてその都度リモコン１２により音量変更命令を入力させることなく外部音声を好みに合った大きさに調節できる。
【０１０１】
このようにテレビジョン受像機１では、プリアンプ制御使用可能値群ＰＤＳに対して、外部音声信号毎にそれぞれ異なる移動設定可能制御値使用範囲ＤＲ２を任意に設定することにより、外部音声信号毎にそれぞれ適した所望の最小値のプリアンプ制御値ＰＤから所望の最大値のプリアンプ制御値ＰＤで当該外部音声信号の利得を制御することができ、かくして外部音声信号に基づく外部音声の大きさを自由に所望の最小値から所望の最大値までの範囲で任意に調節できる。
【０１０２】
またテレビジョン受像機１では、外部音声信号毎にプリアンプ制御使用可能値群ＰＤＳに対して移動設定可能制御値使用範囲ＤＲ２を設定した際、外部音声信号の利得の制御に使用するプリアンプ制御値ＰＤを変更しても、移動設定可能制御値使用範囲ＤＲ２の長さを変えずに、かつ移動設定可能制御値使用範囲ＤＲ２内の各プリアンプ制御値ＰＤに音声信号の大きさの大小を相対的に表す同じ「１」〜「６３」のボリューム表示ＶＭを対応付けることにより、音声の大きさの大小を調節できる数が同じであり地上波番組視聴モードや外部入力視聴モード時に音声の大きさの大小が指示されてもボリューム表示ＶＭで同じように調節できることから地上波番組視聴モードや外部入力視聴モード時にかかわらず音声の大きさを同じ感覚で調節できる。
【０１０３】
さらにテレビジョン受像機１では、表示部７に表示された制御値使用範囲設定画面１１０において、使用範囲設定バー１１２上での調節つまみ１１３の移動量に基づいて各外部入力端子ＯＩ毎にプリアンプ制御使用可能値群ＰＤＳに対する移動設定可能制御値使用範囲ＤＲ２を設定していることから、使用範囲設定バー１１２上での調節つまみ１１３の移動量を基に、プリアンプ制御使用可能値群ＰＤＳにおいて移動設定可能制御値使用範囲ＤＲ２が制御値使用基準範囲ＤＲ１と現在どの程度ずれているかを視覚を介して直観的に認識させることができ、かくしてプリアンプ制御使用可能値群ＰＤＳ内で実際に外部音声信号の利得の制御に使用するプリアンプ制御値ＰＤを移動設定可能制御値使用範囲ＤＲ２として容易に選択して設定できる。
【０１０４】
以上の構成によれば、テレビジョン受像機１では、音声の大きさを最小にするプリアンプ制御値ＰＤから当該音声の大きさを段階的に増加させて最大にするプリアンプ制御値ＰＤまでの順番のプリアンプ制御使用可能値群ＰＤＳに対して、所望の最小値のプリアンプ制御値ＰＤから所望の最大値のプリアンプ制御値ＰＤまでの連続した複数のプリアンプ制御値ＰＤの移動設定可能制御値使用範囲ＤＲ２を任意に設定することにより、信号レベルが異なる外部音声信号に対してその外部音声信号に応じた信号レベルの違いを相殺するように利得を制御したり、信号レベルに合わせた所定の範囲で利得を制御して、当該外部音声信号に基づく外部音声の大きさを所望の最小値から所望の最大値までの範囲で任意に調節することができ、かくして外部音声信号に基づく外部音声を好みに合わせて調節し得る。
【０１０５】
なお上述の実施の形態においては、制御値使用範囲設定画面１１０（図５）において使用範囲設定バー１１２上で調節つまみ１１３を移動することにより、プリアンプ制御使用可能値群ＰＤＳに対して移動設定可能制御値使用範囲ＤＲ２を設定するようにした場合について述べたが、本発明はこれに限らず、図５と同一部分について同一符号を付した図９に示すように、制御値使用範囲設定画面１２０においてプリアンプ制御使用可能値群ＰＤＳの全体を視覚的に表した全制御値使用可能範囲バー１２１上で移動設定可能制御値使用範囲ＤＲ２の最小値のプリアンプ制御値ＰＤから最大値のプリアンプ制御値ＰＤまでを視覚的に表した制御値使用範囲バー１２２を移動することにより、プリアンプ制御使用可能値群ＰＤＳに対して移動設定可能制御値使用範囲ＤＲ２を設定するようにしても良い。
【０１０６】
この場合、図１０に示すように、制御値使用範囲設定画面１２０においては、制御値使用範囲バー１２２を全制御値使用可能範囲バー１２１上の長手方向に移動させることにいより、ユーザに対して移動設定可能制御値使用範囲ＤＲ２内の最小値のプリアンプ制御値ＰＤから最大値のプリアンプ制御値ＰＤまで連続した全てのプリアンプ制御値ＰＤが、プリアンプ制御使用可能値群ＰＤＳに対してどの程度の位置に設定されているかを視覚を介して一段と直観的に認識させると共に、制御値使用範囲バー１２２の上方向位置にボリューム表示ＶＭの最小値から最大値まで（「１」〜「６３」）が表示されていることにより、ユーザに対してプリアンプ制御使用可能値群ＰＤＳとボリューム表示ＶＭとの対応関係についても同時に直観的に認識させることができる。
【０１０７】
また上述した実施の形態においては、制御値使用範囲設定画面１１０において使用範囲設定バー１１２上で調節つまみ１１３を移動することにより、視覚を介してプリアンプ制御使用可能値群ＰＤＳに対して移動設定可能制御値使用範囲ＤＲ２を設定するようにした場合について述べたが、本発明はこれに限らず、制御値使用範囲設定画面１１０において使用範囲設定バー１１２上で調節つまみ１１３を移動する際に、実際に調節つまみ１１３の移動位置に応じて、制御値使用範囲設定画面１１０で現在移動設定可能制御値使用範囲ＤＲ２を設定している外部音声と、基準となるテレビジョン番組音声とをリモコン１２の音切換えボタンの押下に応じて交互にスピーカ１０から出力させることにより、現在指定しているボリューム表示ＶＭを基準として、テレビジョン番組音声と外部音声とを相互に聞き比べてプリアンプ制御使用可能値群ＰＤＳに対して移動設定可能制御値使用範囲ＤＲ２を設定できるようにしても良く、この場合、地上波テレビジョン音声信号や外部音声信号におけるボリューム表示ＶＭとプリアンプ制御値ＰＤとの対応関係の相違を聴覚を介して容易に認識させることができると共に、視覚に加えて聴覚を介して直観的に所望のプリアンプ制御値ＰＤを設定させることができ、かくして音声信号に基づく音声の音量を好みに合わせて調整し得る。
【０１０８】
さらに上述した実施の形態においては、地上波番組視聴モードではプリアンプ制御使用可能値群ＰＤＳに対して制御値使用基準範囲ＤＲ１が予め固定的に設定されて変更できないような場合について述べたが、本発明はこれに限らず、ディジタル放送視聴モード、ＤＶＤ再生視聴モード及びビデオ再生視聴モードと同じように地上波番組視聴モードにおいてもプリアンプ制御使用可能値群ＰＤＳに対して制御値使用基準範囲ＤＲ１を移動設定可能制御値使用範囲ＤＲ２のように自由に設定（又は変更）できるようにしても良く、この場合、地上波番組視聴モード時でも自由に地上波テレビジョン音声信号に基づくテレビジョン番組音声の大きさを所望の最小値から所望の最大値までの範囲で任意に調整することができ、かくして地上波テレビジョン音声信号に基づくテレビジョン番組音声の音量を好みに合わせて調整し得る。
【０１０９】
さらに上述した実施の形態においては、移動設定可能制御値使用範囲ＤＲ２の最小値から最大値までの範囲の長さが予め決められているようにした場合について述べたが、本発明はこれに限らず、移動設定可能制御値使用範囲ＤＲ２の最小値のプリアンプ制御値ＰＤと最大値のプリアンプ制御値ＰＤとを個別に設定できるようにして当該移動設定可能制御値使用範囲ＤＲ２の範囲自体を変更できるようにしても良く、この場合、移動設定可能制御値使用範囲ＤＲ２の長さを外部入力端子ＯＩ毎に異なるように設定できることにより、移動設定可能制御値使用範囲ＤＲ２内で指定できるボリューム表示の数も変動させることができ、このため最大値のボリューム表示ＶＭでの音声の大きさを強制的に小さくさせたい場合にはプリアンプ制御使用可能値群ＰＤＳに対する移動設定可能制御値使用範囲ＤＲ２の最大値のプリアンプ制御値ＰＤの位置だけを任意に減少させるように設定することにより、例えば夜中等のように音量を強制的に小さくさせたい時に最大値のボリューム表示ＶＭが指定されても確実に外部音声の大きさを小さくして視聴させることができる。
【０１１０】
さらに上述した実施の形態においては、外部入力端子ＯＩに接続したディジタル放送受信装置１４、ＤＶＤプレイヤ１５及びビデオテープレコーダ１６からそれぞれ供給された外部音声信号に対して適用するようにした場合について述べたが、本発明はこれに限らず、テレビゲーム機器等のように外部入力端子ＯＩに接続できる他の種々の外部機器や、或いはテレビジョン受像機に内蔵されている内部機器から供給された音声信号に対して適用するようにしても良い。
【０１１１】
さらに上述した実施の形態においては、本発明の音量調節装置をテレビジョン受像機１に適用するようにした場合について述べたが、本発明はこれに限らず、本発明の音量調節装置をＨＤＴＶ（Ｈｉｇｈ  Ｄｅｆｉｎｉｔｉｏｎ  Ｔｅｌｅｖｉｓｉｏｎ）受像機やオーディオ機器、ＡＭラジオ放送受信機、ＦＭラジオ放送受信機、ＣＤプレーヤ等この他種々の機器へ適用するようにしても良く、この場合、例えばオーディオ機器の液晶ディスプレイに表示された制御値使用範囲設定画面１１０に基づいてプリアンプ制御使用可能値群ＰＤＳに対して移動設定可能制御値使用範囲ＤＲ２を設定し、ＡＭラジオ放送、ＦＭラジオ放送等の音声信号に対して音声の大きさを所望の最小値から所望の最大値までの範囲で任意に調節することができる。
【０１１２】
さらに上述の実施の形態においては、プリアンプ制御使用可能値群ＰＤＳに対して移動設定可能制御値使用範囲ＤＲ２を設定した際に、現在指定されているボリューム表示ＶＭを変更しないようにした場合について述べたが、本発明はこれに限らず、プリアンプ制御使用可能値群ＰＤＳに対して移動設定可能制御値使用範囲ＤＲ２を設定した際に、現在指定されているボリューム表示ＶＭを、当該移動設定可能制御値使用範囲ＤＲ２の設定に応じて任意のボリューム表示ＶＭに変更するようにしても良く、この場合変更されたボリューム表示ＶＭを目安としてプリアンプ制御使用可能値群ＰＤＳに対して移動設定可能制御値使用範囲ＤＲ２の移動設定状態をユーザに認識させることができる。
【０１１３】
さらに上述した実施の形態においては、図７に示したような制御値使用範囲設定テーブルＴ１００を制御値記憶部１７に記憶させておくようにした場合について述べたが、本発明はこれに限らず、図２（Ａ）及び（Ｂ）に示したように、プリアンプ制御使用可能値群ＰＤＳに対する移動設定可能制御値使用範囲ＤＲ２内の最小値のプリアンプ制御値ＰＤから最大値のプリアンプ制御値ＰＤまでの連続する全てのプリアンプ制御値ＰＤを外部入力視聴モード毎に制御値記憶部１７に記憶させるておくようにして良く、要は外部入力視聴モードに移行した際に、当該外部入力視聴モード毎にプリアンプ制御使用可能値群ＰＤＳに対して移動設定可能制御値使用範囲ＤＲ２を任意の位置に設定できるような情報を制御値記憶部１７に記憶させておけば良い。
【０１１４】
さらに上述した実施の形態においては、音量調節手段として、マイコン２及びプリアンプ８を適用するようにした場合について述べたが、本発明はこれに限らず、ＭＰＵ（Ｍｉｃｒｏ  Ｐｒｏｃｅｓｓｏｒ  Ｕｎｉｔ）  や他の音声増幅器等のこの他種々の音量調節手段を適用するようにしても良い。
【０１１５】
さらに上述した実施の形態においては、指示子移動制御手段として、マイコン２及び表示部７を適用するようにした場合について述べたが、本発明はこれに限らず、ＭＰＵや液晶ディスプレイ等のこの他種々の指示子移動制御手段を適用するようにしても良い。
【０１１６】
【発明の効果】
上述のように本発明によれば、音声信号に基づく音声をそれぞれ異なる多数の大きさに調節するために当該音声信号の利得を制御する際に用いられる多数の利得制御値を、音声の大きさを最小にする利得制御値から当該音声の大きさを段階的に増加させて最大にする利得制御値までの順番の利得制御使用可能値群として予め記憶している記憶手段の当該利得制御使用可能値群に対して任意に選択された制御値使用範囲に応じて、利得制御使用可能値群の多数の利得制御値のうち音声信号に基づく音声の大きさの調節に用いる複数の利得制御値を特定し、制御値使用範囲の複数の利得制御値のうち、任意に指示された音声の大きさに対応する利得制御値を用いて音声信号の利得を制御することにより当該音声信号に基づく音声の大きさを調節するようにしたことにより、種類に応じて信号レベルの異なる音声信号に対してその種類に応じた信号レベルの違いを相殺するように利得を制御したり、信号レベルに合わせた所望の範囲で利得を制御して、当該音声信号に基づく音声の大きさを所望の最小値から所望の最大値までの範囲で任意に調節することができかくして、音声信号に基づく音声の音量を好みに合わせて調節し得る音量調節装置及び音量調節方法を実現できる。
【図面の簡単な説明】
【図１】本発明によるテレビジョン受像機の回路構成を示すブロツク図である。
【図２】プリアンプ制御使用可能値群に対する制御値使用範囲の設定の様子を示す略線図である。
【図３】制御値使用範囲設定処理手順を示すフローチャートである。
【図４】メニュー画面の構成を示す略線図である。
【図５】制御値使用範囲設定画面の構成を示す略線図である。
【図６】制御値使用範囲設定の様子を示す略線図である。
【図７】制御値使用範囲設定テーブルの構成を示す略線図である。
【図８】制御値使用範囲切換処理手順を示すフローチャートである。
【図９】他の実施の形態における制御値使用範囲設定画面の構成を示す略線図である。
【図１０】他の実施の形態における制御値使用範囲設定の様子を示す略線図である。
【符号の説明】
１……テレビジョン受像機、２……マイコン、６……ＡＶ切換部、７……表示部、８……プリアンプ、９……メインアンプ、１０……スピーカ、１４……ディジタル放送受信装置、１５……ＤＶＤプレイヤ、１６……ビデオテープレコーダ、１７……制御値記憶部。
【図１】
2004266379.tif 000003
【図２】
2004266379.tif 000004
【図３】
2004266379.tif 000005
【図４】
2004266379.tif 000006
【図５】
2004266379.tif 000007
【図６】
2004266379.tif 000008
【図７】
2004266379.tif 000009
【図８】
2004266379.tif 000010
【図９】
2004266379.tif 000011
【図１０】
2004266379.tif 000012